(57)【要約】      （修正有）【課題】吸引手段によって吸引された現像剤を捕獲する捕獲部材の詰まりを抑制することができる現像剤回収装置及び画像形成装置を得る。【解決手段】吸引路１１０を開閉する開閉蓋は、クリーニングブレード１０６及びシール部材１０８がリトラクト状態となる前に開放位置へ移動し、クリーニングブレード１０６及びシール部材１０８が非リトラクト状態となった後に閉止位置へ移動する。つまり、筐体１０２内の浮遊トナーが筐体１０２の外へ放出される虞があるときにのみ、筐体１０２内に吸引ファンの吸引力が生じてフィルタ１１２に浮遊トナーが捕獲される。これにより、筐体１０２内から浮遊トナーが筐体１０２の外へ放出されるのを抑制した上で、浮遊トナーの捕獲によるフィルタ１１２の詰まりが抑制される。【選択図】図４
2012103346.tif 000002
【特許請求の範囲】
【請求項１】
周回しながら現像剤が付着する現像剤付着部材と対向配置された開口部が前記現像剤付着部材の搬送方向と交差する方向に延びて形成された筐体と、
前記現像剤付着部材と接触するように前記開口部における前記搬送方向の下流側の縁部に沿って設けられ、前記現像剤付着部材の外周面から現像剤を剥離して前記筐体内に回収する回収部材と、
前記開口部における前記搬送方向の上流側の縁部に沿って前記現像剤付着部材と接触するように設けられ、前記筐体と前記現像剤付着部材との隙間を密閉する密閉部材と、
押圧されて前記回収部材及び前記密閉部材を前記現像剤付着部材に接触させる位置から前記現像剤付着部材に対して離れた位置へ移動させる第一押圧部材と、
前記現像剤付着部材から剥離された現像剤を前記筐体内へ吸引する吸引手段と、
前記筐体の内部に設けられ、前記吸引手段によって吸引された現像剤を捕獲する捕獲部材と、
前記吸引手段と前記捕獲部材との間の吸引路に設けられ、前記吸引路を狭くさせる位置と広くする位置との間を移動する広狭部材と、
押圧されて前記広狭部材を移動して、前記吸引路を狭くさせる位置から広くする位置に移動させる第二押圧部材と、
前記第一押圧部材及び前記第二押圧部材を押圧し、前記回収部材を前記現像剤付着部材から離間させると共に、前記回収部材が前記現像剤付着部材から離間する前に、前記広狭部材によって狭くされた前記吸引路を広げるように操作する操作装置と、
を有する現像剤回収装置。
【請求項２】
前記操作装置には、
回転する回転軸と、
前記回転軸に取り付けられ、前記第一押圧部材を直接又は間接的に押圧する第一カムと、
前記回転軸に取り付けられ、前記第二押圧部材を直接又は間接的に押圧する第二カムと、が設けられ、
前記第一カムが前記第一押圧部材を押圧する時期と、前記第二カムが前記第二押圧部材を押圧する時期とを異ならせることで、前記回収部材が前記現像剤付着部材から離間する前に、前記広狭部材によって狭くされた前記吸引路を広げるように操作する請求項１に記載の現像剤回収装置。
【請求項３】
請求項１又は２に記載の現像剤回収装置と、
前記現像剤回収装置によって付着した現像剤が回収されると共に、記録媒体に画像を形成するための現像剤付着部材と、
を備える画像形成装置。
【発明の詳細な説明】
【技術分野】
【０００１】
本発明は、現像剤回収装置及び画像形成装置に関する。
【背景技術】
【０００２】
特許文献１には、像担持体と、像担持体の周面に接触して回転自在に形成され、非画像形成領域に形成された未転写トナー像をクリーニングする未転写トナー用回収ブラシ部材ＢＩと、未転写トナー用回収ブラシＢＩに隣接して像担持体の周面に接触して回転自在に形成され、画像形成領域における転写残トナーをクリーニングする転写残トナー用回収ブラシ部材ＢＴとを備え、未転写トナー用回収ブラシ部材ＢＩに蓄積したトナーは、静電的に回収除去されると共に、転写残トナー用回収ブラシ部材ＢＴに蓄積したトナーは、フィルタを介して吸引により回収除去されることが記載されている。
【先行技術文献】
【特許文献】
【０００３】
【特許文献１】特開２００７−１７１８２２号公報
【発明の概要】
【発明が解決しようとする課題】
【０００４】
本発明は、吸引手段によって吸引された現像剤を捕獲する捕獲部材の詰まりを抑制することが課題である。
【課題を解決するための手段】
【０００５】
本発明の請求項１に係る現像剤回収装置は、周回しながら現像剤が付着する現像剤付着部材と対向配置された開口部が前記現像剤付着部材の搬送方向と交差する方向に延びて形成された筐体と、前記現像剤付着部材と接触するように前記開口部における前記搬送方向の下流側の縁部に沿って設けられ、前記現像剤付着部材の外周面から現像剤を剥離して前記筐体内に回収する回収部材と、前記開口部における前記搬送方向の上流側の縁部に沿って前記現像剤付着部材と接触するように設けられ、前記筐体と前記現像剤付着部材との隙間を密閉する密閉部材と、押圧されて前記回収部材及び前記密閉部材を前記現像剤付着部材に接触させる位置から前記現像剤付着部材に対して離れた位置へ移動させる第一押圧部材と、前記現像剤付着部材から剥離された現像剤を前記筐体内へ吸引する吸引手段と、前記筐体の内部に設けられ、前記吸引手段によって吸引された現像剤を捕獲する捕獲部材と、前記吸引手段と前記捕獲部材との間の吸引路に設けられ、前記吸引路を狭くさせる位置と広くする位置との間を移動する広狭部材と、押圧されて前記広狭部材を移動して、前記吸引路を狭くさせる位置から広くする位置に移動させる第二押圧部材と、前記第一押圧部材及び前記第二押圧部材を押圧し、前記回収部材を前記現像剤付着部材から離間させると共に、前記回収部材が前記現像剤付着部材から離間する前に、前記広狭部材によって狭くされた前記吸引路を広げるように操作する操作装置と、を有することを特徴とする。
【０００６】
本発明の請求項２に係る現像剤回収装置は、請求項１に記載において、前記操作装置には、回転する回転軸と、前記回転軸に取り付けられ、前記第一押圧部材を直接又は間接的に押圧する第一カムと、前記回転軸に取り付けられ、前記第二押圧部材を直接又は間接的に押圧する第二カムと、が設けられ、前記第一カムが前記第一押圧部材を押圧する時期と、前記第二カムが前記第二押圧部材を押圧する時期とを異ならせることで、前記回収部材が前記現像剤付着部材から離間する前に、前記広狭部材によって狭くされた前記吸引路を広げるように操作することを特徴とする。
【０００７】
本発明の請求項３に係る画像形成装置は、請求項１又は２に記載の現像剤回収装置と、前記現像剤回収装置によって付着した現像剤が回収されると共に、記録媒体に画像を形成するための現像剤付着部材と、を備えることを特徴とする。
【発明の効果】
【０００８】
本発明の請求項１の現像剤回収装置によれば、常に吸引路が広げられている場合と比して、吸引手段によって吸引された現像剤を捕獲する捕獲部材の詰まりを抑制することができる。
【０００９】
本発明の請求項２の現像剤回収装置によれば、共通の回転軸に第一カム及び第二カムが設けられていない場合と比して、簡易な構成で回収部材が現像剤付着部材から離間する前に、広狭部材によって狭くされた吸引路を広げることができる。
【００１０】
本発明の請求項３の画像形成装置によれば、出力画像の品質を向上させることができる。
【図面の簡単な説明】
【００１１】
【図１】本発明の実施形態に係るクリーニング装置のリトラクト機構部を示した拡大斜視図である。
【図２】本発明の実施形態に係るクリーニング装置のリトラクト機構部を示した拡大斜視図である。
【図３】（Ａ）（Ｂ）本発明の実施形態に係るクリーニング装置の内部を示した斜視図及び断面図である。
【図４】（Ａ）（Ｂ）本発明の実施形態に係るクリーニング装置の内部を示した斜視図及び断面図である。
【図５】本発明の実施形態に係るクリーニング装置のリトラクト機構部を示した側面図である。
【図６】本発明の実施形態に係るクリーニング装置のリトラクト機構部を示した側面図である。
【図７】（Ａ）（Ｂ）本発明の実施形態に係るクリーニング装置の内部を示した断面図である。
【図８】本発明の実施形態に係るクリーニング装置及び中間転写ベルトを示した斜視図である。
【図９】本発明の実施形態に係るクリーニング装置を中間斜視図である。
【図１０】本発明の実施形態に係る画像形成装置の現像装置等を示した側面図である。
【図１１】本発明の実施形態に係る画像形成装置を示した概略構成図である。
【発明を実施するための形態】
【００１２】
本発明の実施形態の現像剤回収装置及び画像形成装置の一例について図１〜図１１に従って説明する。
【００１３】
（全体構成）
図１１には、画像形成装置１０が示されている。画像形成装置１０は、上下方向（矢印Ｖ方向）の下側から上側へ向けて、記録用紙Ｐが収容される用紙収容部１２と、用紙収容部１２の上に設けられ用紙収容部１２から供給される記録用紙Ｐに画像形成を行う画像形成部１４と、画像形成部１４の上に設けられ読取原稿Ｇを読み取る原稿読取部１６と、画像形成部１４内に設けられ画像形成装置１０の各部の動作を制御する制御部２０と、を含んで構成されている。
【００１４】
なお、以後の説明では、画像形成装置１０の装置本体１０Ａの上下方向を矢印Ｖ方向、水平方向を矢印Ｈ方向と記載する。
【００１５】
用紙収容部１２は、記録媒体の一例としてのサイズの異なる記録用紙Ｐが収容される第一収容部２２、第二収容部２４、及び第三収容部２６が設けられている。第一収容部２２、第二収容部２４、及び第三収容部２６には、収容された記録用紙Ｐを画像形成装置１０内に設けられた搬送路２８に送り出す送り出しロール３２が設けられており、搬送路２８における送り出しロール３２よりも下流側には、記録用紙Ｐを一枚ずつ搬送するそれぞれ一対の搬送ロール３４及び搬送ロール３６が設けられている。また、搬送路２８における記録用紙Ｐの搬送方向で搬送ロール３６よりも下流側には、記録用紙Ｐを一端停止させるとともに、決められたタイミングで後述する二次転写位置へ送り出す位置合せロール３８が設けられている。
【００１６】
搬送路２８の上流側部分は、画像形成装置１０の正面視において、矢印Ｖ方向に向けて用紙収容部１２の左側から画像形成部１４の左側下部まで直線状に設けられている。また、搬送路２８の下流側部分は、画像形成部１４の左側下部から画像形成部１４の右側面に設けられた排紙部１５まで設けられている。さらに、搬送路２８には、記録用紙Ｐの両面に画像形成を行うために記録用紙Ｐが搬送及び反転される両面搬送路２９が接続されている。
【００１７】
両面搬送路２９は、画像形成装置１０の正面視において、搬送路２８と両面搬送路２９の切り替えが行われる第一切替部材３１と、画像形成部１４の右側下部から用紙収容部１２の右側まで矢印Ｖ方向に直線状に設けられた反転部３３と、反転部３３に搬送された記録用紙Ｐの後端が進入するとともに矢印Ｈ方向に搬送される搬送部３７と、反転部３３と搬送部３７の切り替えが行われる第二切替部材３５と、を有している。そして、反転部３３には一対の搬送ロール４２が間隔をあけて複数箇所に設けられており、搬送部３７には一対の搬送ロール４４が間隔をあけて複数箇所に設けられている。
【００１８】
第一切替部材３１は三角柱状の部材であり、図示しない駆動手段によって先端部が搬送路２８又は両面搬送路２９のいずれか一方に移動されることで、記録用紙Ｐの搬送方向を切り替えるようになっている。同様に、第二切替部材３５は正面視で三角柱状の部材であり、図示しない駆動手段によって先端部が反転部３３又は搬送部３７のいずれか一方に移動されることで、記録用紙Ｐの搬送方向を切り替えるようになっている。なお、搬送部３７の下流側端部は、搬送路２８の上流側部分にある搬送ロール３６の手前側に図示しない案内部材により接続されている。また、画像形成部１４の左側面には、折り畳み式の手差給紙部４６が設けられており、手差給紙部４６から搬送路２８の位置合せロール３８の手前までが接続されている。
【００１９】
原稿読取部１６は、読取原稿Ｇを１枚ずつ自動で搬送する原稿搬送装置５２と、原稿搬送装置５２の下側に配置され１枚の読取原稿Ｇが載せられるプラテンガラス５４と、原稿搬送装置５２によって搬送された読取原稿Ｇ又はプラテンガラス５４に載せられた読取原稿Ｇを読み取る原稿読取装置５６とが設けられている。原稿搬送装置５２は、一対の搬送ロール５３が複数配置された自動搬送路５５を有しており、自動搬送路５５の一部は記録用紙Ｐがプラテンガラス５４上を通るように配置されている。また、原稿読取装置５６は、プラテンガラス５４の左端部に静止した状態で原稿搬送装置５２によって搬送された読取原稿Ｇを読み取り、又は矢印Ｈ方向に移動しながらプラテンガラス５４に載せられた読取原稿Ｇを読み取るようになっている。
【００２０】
一方、画像形成部１４は、装置本体１０Ａの中央に潜像保持体の一例としての円筒状の像保持体６２が設けられている。像保持体６２は、図示しない駆動手段によって矢印＋Ｒ方向（図示の時計回り方向）に回転すると共に光照射によって形成される静電潜像を保持するようになっている。また、像保持体６２の上方で且つ像保持体６２の外周面と対向する位置には、像保持体６２の表面を帯電するコロトロン方式の帯電部材６４が設けられている。
【００２１】
像保持体６２の回転方向における帯電部材６４よりも下流側で且つ像保持体６２の外周面と対向する位置には、露光装置６６が設けられている。露光装置６６は、ＬＥＤ（Ｌｉｇｈｔ  Ｅｍｉｔｔｉｎｇ  Ｄｉｏｄｅ）で構成されており、帯電部材６４により帯電した像保持体６２の外周面に各トナー色に対応した画像信号に基づき、光を照射（露光）して静電潜像を形成するようになっている。なお、露光装置６６はＬＥＤ方式に限らず、例えば、レーザ光をポリゴンミラーで走査するものであってもよい。
【００２２】
像保持体６２の回転方向で露光装置６６の露光光が照射される部位よりも下流側には、像保持体６２の外周面に形成された静電潜像を決められた色のトナーで現像して可視化させる現像手段の一例としての回転切り替え式の現像装置７０が設けられている。なお、現像装置７０の詳細については後述する。
【００２３】
像保持体６２の回転方向で現像装置７０よりも下流側であり且つ像保持体６２の下側には、像保持体６２の外周面に形成されたトナー画像が転写される現像剤付着部材の一例としての中間転写ベルト６８が設けられている。中間転写ベルト６８は、無端状であり、制御部２０により回転駆動される駆動ロール６１、中間転写ベルト６８に張力を付与するための張力付与ロール６３、中間転写ベルト６８の裏面に接触して従動回転する複数の搬送ロール６５、及び後述する二次転写位置において中間転写ベルト６８の裏面に接触して従動回転する補助ロール６９に巻き掛けられている。そして、中間転写ベルト６８は、駆動ロール６１が回転することにより、矢印−Ｒ方向（図示の反時計回り方向）に周回移動するようになっている。
【００２４】
また、中間転写ベルト６８を挟んで像保持体６２の反対側には、像保持体６２の外周面に形成されたトナー画像を中間転写ベルト６８に一次転写させる一次転写ロール６７が設けられている。一次転写ロール６７は、像保持体６２と中間転写ベルト６８とが接触する位置から中間転写ベルト６８の移動方向下流側に離れた位置で、中間転写ベルト６８の裏面に接触している。そして、一次転写ロール６７は、図示しない電源から通電されることにより、接地されている像保持体６２との電位差で像保持体６２のトナー画像を中間転写ベルト６８に一次転写するようになっている。
【００２５】
さらに、中間転写ベルト６８を挟んで補助ロール６９の反対側には、中間転写ベルト６８上に一次転写されたトナー画像を記録用紙Ｐに二次転写させる転写手段の一例としての二次転写ロール７１が設けられており、二次転写ロール７１と補助ロール６９との間が記録用紙Ｐへトナー画像を転写する二次転写位置とされている。二次転写ロール７１は、中間転写ベルト６８の表面に接触している。そして、二次転写ロール７１は、図示しない電源から通電されることにより、接地されている補助ロール６９との電位差で中間転写ベルト６８のトナー画像を記録用紙Ｐに二次転写するようになっている。
【００２６】
また、中間転写ベルト６８を挟んで駆動ロール６１の反対側には、中間転写ベルト６８の二次転写後の残留トナーを回収する現像剤回収装置の一例としてのクリーニング装置１００が設けられている。なお、クリーニング装置１００の詳細については後述する。
【００２７】
さらに、中間転写ベルト６８の周囲で張力付与ロール６３と対向する位置には、中間転写ベルト６８の表面に付されたマーク（図示省略）を検知することで中間転写ベルト６８上の予め定めた基準位置を検出し、画像形成処理の開始タイミングの基準となる位置検出信号を出力する位置検出センサ８３が設けられている。
【００２８】
像保持体６２の回転方向で一次転写ロール６７よりも下流側には、中間転写ベルト６８に一次転写されずに像保持体６２の表面に残留した残留トナー等を清掃するクリーニング装置７３が設けられている。クリーニング装置７３は、像保持体６２表面に接触するクリーニングブレード及びブラシロールにより残留トナー等を回収する構成となっている。また、像保持体６２の回転方向でクリーニング装置７３の上流側（一次転写ロール６７よりも下流側）には、像保持体６２の外周面に光を照射して除電を行う除電装置７５が設けられている。除電装置７５は、クリーニング装置７３による残留トナー等の回収前に像保持体６２の外周面に光を照射して除電することで静電気による付着力を低減し、残留トナー等の回収率を高めるためのものである。なお、クリーニング装置７３の下流側で且つ帯電部材６４の上流側に、残留トナー等の回収後の除電手段を設けてもよい。
【００２９】
二次転写ロール７１によるトナー画像の二次転写位置は、前述の搬送路２８の途中に設定されており、搬送路２８における記録用紙Ｐの搬送方向（矢印Ａで図示）で二次転写ロール７１よりも下流側には、二次転写ロール７１によってトナー画像が転写された記録用紙Ｐにトナー画像を定着させる定着装置８０が設けられている。定着装置８０は、記録用紙Ｐのトナー画像面側（上側）に配置され、通電により発熱する熱源を有する加熱ロール８２と、加熱ロール８２の下側に配置され記録用紙Ｐを加熱ロール８２の外周面に向けて加圧する加圧ロール８４とで構成されている。なお、搬送路２８における記録用紙Ｐの搬送方向で定着装置８０よりも下流側には、排紙部１５又は反転部３３へ向けて記録用紙Ｐを搬送する搬送ロール３９が設けられている。
【００３０】
一方、原稿読取装置５６の下側で現像装置７０よりも上側には、イエロー（Ｙ）、マゼンタ（Ｍ）、シアン（Ｃ）、黒（Ｋ）、第１特別色（Ｅ）、第２特別色（Ｆ）の各トナーを収容するトナーカートリッジ７８Ｙ、７８Ｍ、７８Ｃ、７８Ｋ、７８Ｅ、７８Ｆが水平方向に並んで交換可能に設けられている。第１特別色Ｅ及び第２特別色Ｆは、イエロー、マゼンタ、シアン、ブラック以外の特別色（透明を含む）から選択され、または、選択されないようになっている。そして、現像装置７０では、第１特別色Ｅ及び第２特別色Ｆが選択された場合はＹ、Ｍ、Ｃ、Ｋ、Ｅ、Ｆの６色での画像形成を行い、第１特別色Ｅ及び第２特別色Ｆが選択されない場合はＹ、Ｍ、Ｃ、Ｋの４色での画像形成を行うようになっている。なお、本実施形態では、一例として、Ｙ、Ｍ、Ｃ、Ｋの４色で画像形成を行い、第１特別色Ｅ及び第２特別色Ｆを未使用とした場合について説明するが、他の例として、Ｙ、Ｍ、Ｃ、Ｋの４色と第１特別色Ｅ又は第２特別色Ｆを用いて５色で画像形成を行ってもよい。
【００３１】
次に、現像装置７０について説明する。
【００３２】
図１０に示されるように、現像装置７０は、イエロー（Ｙ）、マゼンタ（Ｍ）、シアン（Ｃ）、黒（Ｋ）、第１特別色（Ｅ）、第２特別色（Ｆ）の各トナー色にそれぞれ対応する現像器７２Ｙ、７２Ｍ、７２Ｃ、７２Ｋ、７２Ｅ、７２Ｆが、周方向に（反時計回り方向にこの順番で）並んで配置されており、回転手段であるモータ（図示省略）によって中心角で６０°ずつ回転することで、現像処理を行う現像器７２Ｙ、７２Ｍ、７２Ｃ、７２Ｋ、７２Ｅ、７２Ｆが切り替えられ、像保持体６２の外周面と対向するようになっている。
【００３３】
なお、現像器７２Ｙ、７２Ｍ、７２Ｃ、７２Ｋ、７２Ｅ、７２Ｆは同様の構成となっているため、ここでは現像器７２Ｙについて説明し、他の現像器７２Ｍ、７２Ｃ、７２Ｋ、７２Ｅ、７２Ｆについては説明を省略する。
【００３４】
現像器７２Ｙは、本体となるケース部材７６を有しており、ケース部材７６内にトナーカートリッジ７８Ｙ（図１１参照）からトナー供給路（図示省略）を経由して供給されるトナー及びキャリアから成る現像剤（図示省略）が充填されている。また、ケース部材７６には、像保持体６２の外周面と対向して矩形状の開口部７６Ａが形成されており、開口部７６Ａには、外周面が像保持体６２の外周面と対向する現像ロール７４が設けられている。さらに、ケース部材７６内で開口部７６Ａに近い部位には、現像剤の層厚を規制するための板状の規制部材７９が、開口部７６Ａの長手方向に沿って設けられている。
【００３５】
現像ロール７４は、回転可能に設けられた円筒状の現像スリーブ７４Ａと、現像スリーブ７４Ａの内側に固定された複数の磁極から成る磁性部材７４Ｂとで構成されており、現像スリーブ７４Ａが回転することで現像剤（キャリア）の磁気ブラシが形成されると共に、規制部材７９で層厚が規制されることで、現像スリーブ７４Ａの外周面に現像剤層を形成するようになっている。そして、現像スリーブ７４Ａの外周面の現像剤層は、像保持体６２に対向する位置に搬送され、像保持体６２の外周面に形成された潜像（静電潜像）に応じたトナーを付着させて現像を行う。
【００３６】
また、ケース部材７６内には、螺旋状に形成された搬送ローラ７７が２本回転可能に並列配置されており、この２本の搬送ローラ７７が回転することで、ケース部材７６内に充填された現像剤が、現像ロール７４の軸方向（現像器７２Ｙの長手方向）に循環搬送されるようになっている。なお、各現像器７２Ｙ、７２Ｍ、７２Ｃ、７２Ｋ、７２Ｅ、７２Ｆに設けられた６本の現像ロール７４は、隣の現像ロール７４との間隔が中心角６０°となるように周方向に配置されており、現像器７２の切り替えにより、次の現像ロール７４が像保持体６２の外周面と対向するようになっている。
【００３７】
次に、画像形成装置１０における画像形成工程について説明する。
【００３８】
図１１に示されるように、画像形成装置１０が作動すると、画像処理装置（図示省略）又は外部から、イエロー（Ｙ）、マゼンタ（Ｍ）、シアン（Ｃ）、黒（Ｋ）、第１特別色（Ｅ）、第２特別色（Ｆ）の各色の画像データが露光装置６６に順次出力される。このとき、一例として、現像装置７０は、現像器７２Ｙ（図１０参照）が像保持体６２の外周面と対向するように回転し保持されている。
【００３９】
また、図４（Ｂ）に示されるように、クリーニング装置１００のクリーニングブレード１０６及びシール部材１０８は、各色のトナー画像が中間転写ベルト６８に多重（一次）転写され且つ記録用紙Ｐ上に二次転写されるまで、リトラクト機構部１３０（図９参照）の動作によって中間転写ベルト６８の外周面から離されている（リトラクト状態）。同様に、補助ロール６９の移動により、二次転写ロール７１も、中間転写ベルト６８の外周面から離れている。
【００４０】
続いて、露光装置６６から画像データに応じて出射された光は、帯電部材６４により帯電された像保持体６２の外周面（表面）を露光し、像保持体６２の表面にはイエローの画像データに対応した静電潜像が形成される。さらに、像保持体６２の表面に形成された静電潜像は、現像器７２Ｙによってイエローのトナー画像として現像される。そして、像保持体６２の表面のイエローのトナー画像は、一次転写ロール６７によって中間転写ベルト６８に転写される。
【００４１】
続いて、図１１に示されるように、現像装置７０が矢印＋Ｒ方向に６０°回転され、現像器７２Ｍが像保持体６２の表面と対向する。そして、帯電、露光、現像の各工程が行われ、像保持体６２の表面のマゼンタのトナー画像は、一次転写ロール６７によって中間転写ベルト６８のイエローのトナー画像上に転写される。同様にして、シアン（Ｃ）、黒（Ｋ）、さらに色設定に応じて第１特別色（Ｅ）、及び第２特別色（Ｆ）のトナー画像が中間転写ベルト６８上に順次多重転写される。
【００４２】
そして、補助ロール６９の移動により、二次転写ロール７１が、中間転写ベルト６８の外周面と接する。
【００４３】
一方、用紙収容部１２から送り出され、搬送路２８を搬送されてきた記録用紙Ｐは、位置合せロール３８により、中間転写ベルト６８への各トナー画像の多重転写とタイミングを合わせて二次転写位置に搬送される。そして、中間転写ベルト６８上に多重転写されたトナー画像は、二次転写位置に搬送されてきた記録用紙Ｐ上に二次転写ロール７１によって二次転写される。
【００４４】
また、二次転写後、図３（Ｂ）、図７（Ａ）に示されるように、クリーニング装置１００のクリーニングブレード１０６及びシール部材１０８は、制御部２０の制御により中間転写ベルト６８の外周面と接触する。そして、中間転写ベルト６８の外周面に付着したトナーＴがクリーニングブレード１０６で剥離され、筐体１０２内に回収される。
【００４５】
続いて、トナー画像が転写された記録用紙Ｐは、定着装置８０に向けて矢印Ａ方向（図示の右方向）に搬送される。そして、定着装置８０では、トナー画像が加熱ロール８２及び加圧ロール８４によって加熱、加圧されることで記録用紙Ｐに定着される。さらに、トナー画像が定着された記録用紙Ｐは、一例として、排紙部１５に排出される。
【００４６】
なお、記録用紙Ｐの両面に画像を形成する場合は、定着装置８０で表面に画像定着を行った後、記録用紙Ｐを矢印−Ｖ方向に沿って反転部３３に送り込むと共に矢印＋Ｖ方向に沿って送り出すことで、記録用紙Ｐの先端と後端を入れ替える。そして、記録用紙Ｐを両面搬送路２９によって矢印Ｂ方向（図示の左方向）に搬送し、さらに搬送路２８に送り込んで、記録用紙Ｐの裏面の画像形成及び定着を行う。
【００４７】
なお、この定着後に、クリーニングブレード１０６及びシール部材１０８がリトラクト機構部１３０の動作によって中間転写ベルト６８の外周面と接触する。そして、中間転写ベルト６８の外周面に付着したトナーＴがクリーニングブレード１０６で剥離され、筐体１０２内に回収される。
【００４８】
（要部構成）
次に、クリーニング装置１００について説明する。
【００４９】
図３（Ａ）、（Ｂ）、図９に示されるように、クリーニング装置１００は、中間転写ベルト６８（図１０参照）と対向配置される矩形状の開口部１０４が形成された筐体１０２と、開口部１０４に設けられ中間転写ベルト６８に接触してトナーを回収する回収部材の一例としてのクリーニングブレード１０６と、クリーニングブレード１０６とは反対側の位置で開口部１０４に設けられ、中間転写ベルト６８に接触して筐体１０２と中間転写ベルト６８との隙間を密閉する密閉部材の一例としてのシール部材１０８とを有している。
【００５０】
さらに、クリーニング装置１００は、中間転写ベルト６８の残留トナー等を筐体１０２内へ吸引する吸引手段の一例としての吸引ファン１２８（図８参照）と、吸引ファン１２８で吸引される空気が通る吸引路１１０Ｂを構成する筒部材１１１（図８参照）と、筐体１０２内に設けられトナーを含む塵埃を集める捕獲部材の一例としてのフィルタ１１２と、を有している。
【００５１】
なお、以後は、筐体１０２及び開口部１０４の長手方向を矢印Ｚ方向、矢印Ｚ方向と直交し且つ筐体１０２における底壁１０２Ａ（図３（Ｂ）参照）の面内方向を矢印Ｘ方向、矢印Ｘ方向及び矢印Ｚ方向と直交する筐体１０２の高さ方向を矢印Ｙ方向として、筐体１０２内の各部材の配置を説明する。また、矢印Ｚ方向は、画像形成装置１０（図１１参照）を正面視したときの手前側から奥側に向かう方向である。
【００５２】
図３（Ａ）、（Ｂ）、図９に示されるように、筐体１０２は、矢印Ｚ方向の両端部と、矢印Ｚ方向に見て天板の左端部及び左側壁の上端部とが開放された形状の部材であり、矢印Ｚ方向の両端部には側板１１４がネジで取り付けられている。また、筐体１０２の上部には、矢印Ｚ方向を長手方向としＸ−Ｙ面でＬ字形の板金から成る第一押圧部材の一例としての第一可動部材１１６が設けられている。なお、図３（Ａ）、（Ｂ）には、中間転写ベルト６８にクリーニングブレード１０６及びシール部材１０８が接触した状態（コンタクト状態）が示されている。
【００５３】
第一可動部材１１６は、Ｘ−Ｙ面で山型に配置されており、一方の傾斜部１１６Ａ（図示の左下に向かう傾斜部分）の裏側には、矢印Ｚ方向を軸方向とする支軸１１８が固定されている。支軸１１８は、両端部が側板１１４に設けられたベアリング（図示省略）により回転可能に支持されている。そして、第一可動部材１１６の傾斜部１１６Ａの上面には、Ｘ−Ｙ面でＬ字形の板金から成る支持板１１９がネジで取り付けられている。さらに、支持板１１９の下部には、傾斜部１１６Ａの傾斜方向に沿って配置されたクリーニングブレード１０６の短手方向の一方の端部が接着により固定されている。
【００５４】
クリーニングブレード１０６は、平面視で矩形状の樹脂製の板材であり、長手方向が開口部１０４の長手方向に沿うように支持板１１９に取り付けられている。これにより、クリーニングブレード１０６は、開口部１０４における中間転写ベルト６８の搬送方向（矢印−Ｒ方向）の下流側の縁部に沿って設けられている。
【００５５】
また、クリーニングブレード１０６は、第一可動部材１１６が接触状態の配置となっているときに、自由端側（支持板１１９に接着されていない他方の端部）が中間転写ベルト６８と接触するように配置されており、中間転写ベルト６８の残留トナーを筐体１０２内に回収するようになっている。また、Ｘ−Ｙ面で筐体１０２の左側には、矢印Ｚ方向を長手方向とするＬ字形の板金から成る第二可動部材１２０が設けられている。
【００５６】
第二可動部材１２０は、Ｘ−Ｙ面で左側に向けて凸となるように配置されており、上側に配置された傾斜部１２０Ａ（図示の左下へ下がる傾斜部分）の裏側には、矢印Ｚ方向を軸方向として回転可能に設けられた支軸（図示省略）が取り付けられている。これにより、第二可動部材１２０は回転可能に支持されている。なお、第二可動部材１２０は、図示せぬ連動装置によって第一可動部材１１６に連動して回転（移動）するようになっている。また、第二可動部材１２０の傾斜部１２０Ａの上部には、シール部材１０８の短手方向の一方の端部が接着により固定されている。
【００５７】
シール部材１０８は、一例として、平面視で矩形状の透明なフィルム材であり、開口部１０４における中間転写ベルト６８の搬送方向の上流側の縁部に沿って中間転写ベルト６８と接触するように第二可動部材１２０に取り付けられている。また、シール部材１０８は、第一可動部材１１６が接触状態の配置となっているときで、且つクリーニングブレード１０６が中間転写ベルト６８に接触しているときに、自由端側（第二可動部材１２０に接着されていない他方の端部）が中間転写ベルト６８と接触するように配置されるようになっている。これにより、筐体１０２と中間転写ベルト６８との隙間を密閉するようになる。さらに、シール部材１０８は、クリーニングブレード１０６よりも下側に配置されている。ここで、シール部材１０８の先端部は、下流側に向いて中間転写ベルト６８の移動方向に沿って配置されており、シール部材１０８によってトナーＴが掻き取られることはない。
【００５８】
図３（Ａ）、（Ｂ）に示されるように、Ｘ−Ｙ面での筐体１０２の右側には、フィルタ１１２を筐体１０２内に取り付けるための取付部材１１３が設けられている。取付部材１１３は、平面視で矩形状の板材の長手方向に複数の四角形の貫通孔からなる開口部１１３Ａが形成された枠状となっており、Ｘ−Ｙ面において、上部よりも下部の方が中間転写ベルト６８及び開口部１０４から離れるように筐体１０２内部に斜めに設けられている。
【００５９】
この取付部材１１３で区切られることにより、筐体１０２の右側には、Ｘ−Ｙ面で逆三角形状の吸引路１１０Ａが形成されている。そして、筐体１０２内には、取付部材１１３によって、フィルタ１１２が取り付けられている。
【００６０】
フィルタ１１２は、繊維の集合体であり、正面視で筐体１０２の長手方向（矢印Ｚ方向）に沿って長い矩形状となっている。また、フィルタ１１２は、取付部材１１３に接着されており、筐体１０２の側面視（Ｘ−Ｙ面）において、筐体１０２内における開口部１０４と吸引路１１０Ａの間で下部が上部よりも開口部１０４から離れるように斜めに設けられている。
【００６１】
図３（Ａ）、（Ｂ）に示されるように、筐体１０２の下部で且つ底壁１０２Ａ上に立てられた仕切壁１１７と第二可動部材１２０との間には、外周面に螺旋状の複数の溝が形成されており、且つ矢印Ｚ方向を回転軸方向として回転可能に設けられた搬送部材１２１が設けられている。搬送部材１２１は、矢印Ｚ方向の奥側にモータを含む駆動手段（図示省略）が設けられており、制御部２０（図１１参照）によって駆動制御されることで、筐体１０２内に回収されたトナーを矢印Ｚ方向の奥側へ向けて搬送するようになっている。
【００６２】
なお、図９に示されるように、筐体１０２の矢印Ｚ方向の奥側には、搬送部材１２１によって搬送されたトナーが回収タンク（図示省略）に向けて流れる円筒状の回収路（図示省略）が設けられている。
【００６３】
一方、図１、図２に示されるように、クリーニングブレード１０６及びシール部材１０８を中間転写ベルト６８の外周面に接触させる位置又は中間転写ベルト６８の外周面から離れた位置の間で移動させるリトラクト機構部１３０は、矢印Ｚ方向の手前側に設けられた第一機構部１３０Ａ（図２参照）と、奥側に設けられた第二機構部１３０Ｂ（図１参照）とで構成されている。
【００６４】
また、中間転写ベルト６８の矢印Ｚ方向（幅方向）両端に近い位置には、手前側に側板１３１Ａ、奥側に側板１３１Ｂが設けられている。
【００６５】
図２に示されるように、第一機構部１３０Ａは、駆動源（図示省略）によって回転される第一カムの一例としての偏心カム１３２Ａと、クリーニング装置１００の側板１１４に設けられ偏心カム１３２Ａの回転により移動して第一可動部材１１６及び第二可動部材１２０（図９参照）を移動させるアーム部材１３４とを含んで構成されている。
【００６６】
偏心カム１３２Ａは、側板１３１Ａに回転可能に設けられた軸部材１３３の一端（矢印Ｚ方向の手前側）に取り付けられており、軸部材１３３を中心として偏心した部位には、側板１３１Ａに一端が取り付けられたバネ１３５の他端が取り付けられている。
【００６７】
アーム部材１３４は、正面視でＶ字に近い形状で且つ同じ大きさの２枚の板材が間隔をあけて一体化された構成となっている。
【００６８】
詳細には、アーム部材１３４は、逆三角形状の本体部１３４Ａと、本体部１３４Ａの正面視で左上部から左斜め上方へ延びる第一アーム１３４Ｂと、本体部１３４Ａの正面視で右上部から右斜め上方へ延びる第二アーム１３４Ｃとを有している。また、本体部１３４Ａの下端（頂角部分）には、支軸１２２が固定される円弧状の切欠部１３４Ｄが形成されている。
【００６９】
さらに、第一アーム１３４Ｂ又は第二アーム１３４Ｃの上端部には、それぞれロール１３６Ａ、１３６Ｂが回転可能に設けられている。
【００７０】
ここで、アーム部材１３４は、支軸１２２を支点として＋Ｒ方向（図示の時計回り方向）又は−Ｒ方向（図示の反時計回り方向）に移動可能となっており、第一アーム１３４Ｂ及び第二アーム１３４Ｃが＋Ｒ方向又は−Ｒ方向に移動するようになっている。
【００７１】
なお、アーム部材１３４は、第二アーム１３４Ｃ側の本体部１３４Ａにバネ１３７の一端が取り付けられており、バネ１３７の他端は側板１１４の底部に取り付けられている。これにより、偏心カム１３２Ａがアーム部材１３４に接触しない状態で、アーム部材１３４には＋Ｒ方向に回転させる力が作用している。
【００７２】
また、第一可動部材１１６の端部には、バネ１３９の一端が取り付けられており、バネ１３９の他端は側板１１４の底部に取り付けられている。これにより、第一可動部材１１６には＋Ｒ方向に回転させる力が作用している。そして、ロール１３６Ｂは、第一可動部材１１６の手前側端部に設けられた平面である接触部１１６Ｂと接触している。
【００７３】
さらに、ロール１３６Ａは、偏心カム１３２Ａの＋Ｒ方向の回転により偏心カム１３２Ａと接触し、又は偏心カム１３２Ａの−Ｒ方向の回転により偏心カム１３２Ａから離れるようになっている。また、偏心カム１３２Ａがロール１３６Ａと接触してアーム部材１３４を＋Ｒ方向に移動させたとき、ロール１３６Ｂは、第一可動部材１１６の接触部１１６Ｂを押して、第一可動部材１１６を−Ｒ方向に移動させるようになっている。そして、偏心カム１３２Ａがロール１３６Ａから離れたときは、第一可動部材１１６が＋Ｒ方向に移動するようになっている。
【００７４】
一方、図１に示されるように、第二機構部１３０Ｂは、側板１３１Ｂに設けられ駆動源（図示省略）によって回転される第一カムの一例としての偏心カム１３２Ｂと、同じく側板１３１Ｂに設けられ偏心カム１３２Ｂの回転により移動して第一可動部材１１６及び第二可動部材１２０（図９参照）を移動させるアーム部材１３８とを含んで構成されている。偏心カム１３２Ｂは、軸部材１３３の一端（矢印Ｚ方向の奥側）に取り付けられている。
【００７５】
アーム部材１３８は、アーム部材１３４（図２参照）と同様の構成となっており、側板１３１Ｂから他端が露出された前述の支軸１２２を支点として＋Ｒ方向又は−Ｒ方向に移動することで、第一アーム１３８Ｂ及び第二アーム１３８Ｃが＋Ｒ方向又は−Ｒ方向に移動するようになっている。なお、アーム部材１３８には、アーム部材１３４と同様に、偏心カム１３２Ｂが接触しない状態で、図示せぬバネの付勢力で＋Ｒ方向に回転させる力が作用している。また、第一可動部材１１６には、図示せぬバネの付勢力で＋Ｒ方向に回転させる力が作用している。そして、ロール１３６Ｂは、第一可動部材１１６の奥側端部に設けられた平面である接触部１１６Ｃと接触している。
【００７６】
ロール１３６Ａは、偏心カム１３２Ｂの＋Ｒ方向の回転により偏心カム１３２Ｂと接触し、又は偏心カム１３２Ｂの−Ｒ方向の回転により偏心カム１３２Ｂから離れるようになっている。また、偏心カム１３２Ｂがロール１３６Ａと接触してアーム部材１３８を＋Ｒ方向に移動させたとき、ロール１３６Ｂは、第一可動部材１１６の接触部１１６Ｃを押して、第一可動部材１１６を−Ｒ方向に移動させるようになっている（図４（Ｂ）参照）。そして、偏心カム１３２Ｂがロール１３６Ａから離れたときは、第一可動部材１１６が＋Ｒ方向に移動するようになっている（図３（Ｂ）参照）。
【００７７】
つまり、第一可動部材１１６を−Ｒ方向に移動させることで、中間転写ベルト６８からクリーニングブレード１０６及びシール部材１０８が離れた状態（リトラクト状態）となるようになっている。これに対し、第一可動部材１１６を＋Ｒ方向に移動させることで、中間転写ベルト６８にクリーニングブレード１０６及びシール部材１０８を接触させた状態（コンタクト状態）となるようになっている。
【００７８】
次に、クリーニングブレード１０６によって、中間転写ベルト６８から掻き落とされた残留トナーを筐体１０２内に吸引する吸引ファン１２８と、吸引ファン１２８で吸引された空気が通る吸引路１１０等について説明する。
【００７９】
図１、図３（Ｂ）、図８に示されるように、吸引ファン１２８を稼働させることで吸引された空気が通る吸引路１１０は、筐体１０２とフィルタ１１２とで囲まれてＺ方向に延びる吸引路１１０Ａと、吸引路１１０ＡのＺ方向の奥側の端部と矩形状の開口部１５０を介して繋がると共に、中間転写ベルト６８に対してＺ方向の奥側でＸ方向に延びる吸引路１１０Ｂとを含んで構成されている。
【００８０】
さらに、開口部１５０には、その姿勢又は位置に応じて吸引路１１０を広く又は狭くさせる広狭部材の一例としての開閉蓋１５４が設けられている。
【００８１】
開閉蓋１５４は、矩形状の板部材であって、端部が回転可能な回転軸１５６に軸支されている。そして、この回転軸１５６を図１に示す矢印＋Ｒ方向に回転させることで、開閉蓋１５４は、ストッパー１６２と当って停止して開口部１５０を閉止する閉止位置（図６参照）に移動し、回転軸１５６が図１に示す矢印−Ｒ方向に回転させることで、開閉蓋１５４は、ストッパー１６２と当って停止して開口部１５０を開放する開放位置（図５参照）に移動するようになっている。
【００８２】
次に、回転軸１５６を回転させる第三機構部１５８について説明する。
【００８３】
図１に示されるように、第三機構部１５８は、駆動源（図示省略）によって回転される第二カムの一例としての偏心カム１６０と、クリーニング装置１００の側板１１４に設けられ偏心カム１６０の回転により揺動するアーム部材１６４と、アーム部材１６４によって押圧され回転軸１５６を回転させる第二押圧部材の一例としてのリンク部材１６６とを含んで構成されている。
【００８４】
偏心カム１６０は、偏心カム１３２Ｂと並んで軸部材１３３の他端（矢印Ｚ方向の奥側）に取り付けられている。
【００８５】
また、アーム部材１６４は、正面視でＶ字に近い形状で且つ同じ大きさの２枚の板材が間隔をあけて一体化された構成となっている。
【００８６】
詳細には、アーム部材１６４は、逆三角形状の本体部１６４Ａと、本体部１６４Ａの正面視で斜め上方へ延びる第一アーム１６４Ｂと、本体部１６４Ａの正面視で第一可動部材１１６側に延びる第二アーム１６４Ｃとを有している。また、本体部１６４Ａの下端（頂角部分）には、支軸１２２が固定される円弧状の切欠部１６４Ｄが形成されている。
【００８７】
さらに、第一アーム１６４Ｂ又は第二アーム１６４Ｃの上端部には、それぞれロール１６８Ａ、１６８Ｂが回転可能に設けられている。そして、第一アーム１６４Ｂの上端に設けられたロール１６８Ａが、偏心カム１６０の外周面に接するように、第一アーム１６４Ｂを付勢するバネ１７０の端部が第一アーム１６４Ｂに固定されている。
【００８８】
ここで、アーム部材１６４は、支軸１２２を支点として＋Ｒ方向又は−Ｒ方向に移動可能となっており、第一アーム１６４Ｂ及び第二アーム１６４Ｃが＋Ｒ方向又は−Ｒ方向に移動するようになっている。
【００８９】
さらに、第二アーム１６４Ｃの上端に取り付けられたロール１６８Ｂには、リンク部材１６６が取り付けられている。
【００９０】
詳細には、リンク部材１６６は、一端がロール１６８Ｂに取り付けられる第一ロッド１７２と、第一ロッド１７２の他端に一端が回転可能に取り付けられる第二ロッド１７４と、第二ロッド１７４の他端と回転軸１５６の端部とを回転軸１５６の径方向に連結する連結部１７６とを備えている。
【００９１】
この構成により、軸部材１３３から回転力が伝達される偏心カム１６０の＋Ｒ方向の回転により、ロール１６８Ａは偏心カム１６０に押圧され、アーム部材１６４が＋Ｒ方向に回転し、ロール１６８Ｂが第一ロッド１７２を押圧する。第一ロッド１７２が押圧されることで、この押圧力が第二ロッド１７４及び連結部１７６を介して回転軸１５６にモーメントとして伝達され、回転軸１５６が−Ｒ方向に回転して開閉蓋１５４が開放位置（図５参照）に移動するようになっている。
【００９２】
一方、軸部材１３３から回転力が伝達される偏心カム１６０の−Ｒ方向の回転により、バネ１７０の付勢力でアーム部材１６４が−Ｒ方向の回転し、ロール１６８Ｂが第一ロッド１７２を引き込む。第一ロッド１７２が引き込まれることで、この引込力が第二ロッド１７４及び連結部１７６を介して回転軸１５６に伝達され、回転軸１５６が＋Ｒ方向に回転して開閉蓋１５４が閉止位置（図６参照）に移動するようになっている。
【００９３】
ここで、軸部材１３３の回転により、偏心カム１６０及び前述した偏心カム１３２Ａ、１３２Ｂが回転することとなるが、軸部材１３３が＋Ｒ方向に回転した場合には、クリーニングブレード１０６及びシール部材１０８が中間転写ベルト６８から離れる前に、開閉蓋１５４が閉止位置から開放位置へ移動するように、偏心カム１６０及び偏心カム１３２Ａ、１３２Ｂの外形形状が決められている。
【００９４】
さらに、軸部材１３３が−Ｒ方向に回転した場合には、クリーニングブレード１０６及びシール部材１０８がリトラクト状態からコンタクト状態となった後に、開閉蓋１５４が開放地位から閉止位置へ移動するように、偏心カム１６０及び偏心カム１３２Ａ、１３２Ｂの外形形状が決められている。
【００９５】
（作用）
次に、クリーニング装置１００の作用について説明する。
【００９６】
図１、図２において、偏心カム１３２Ａ及び偏心カム１３２Ｂが回転せず、アーム部材１３４、１３６が偏心カム１３２Ａ、１３２Ｂで押されていない状態では、図７（Ａ）に示されるように、クリーニングブレード１０６の先端及びシール部材１０８の先端が中間転写ベルト６８の外周面と接触する（コンタクト状態）。
【００９７】
また、このコンタクト状態では、図６に示されるように、開閉蓋１５４が閉止状態となっており、吸引路１１０が閉じられている（狭くなっている）。
【００９８】
図７（Ａ）に示されるように、中間転写ベルト６８のトナー画像が記録用紙Ｐ（図示省略）に二次転写されると、中間転写ベルト６８の外周面には転写残のトナーＴが付着している。そして、中間転写ベルト６８の−Ｒ方向への周回移動により、転写残のトナーＴはクリーニング装置１００まで搬送され、クリーニングブレード１０６によって筐体１０２内に回収される。このとき、シール部材１０８は中間転写ベルト６８の外周面に接触しており、筐体１０２と中間転写ベルト６８との隙間を密閉している。これにより、筐体１０２内に回収されたトナーＴが、筐体１０２の外側へ漏れるのを防いでいる。
【００９９】
また、開閉蓋１５４が閉止状態となっており、開口部１５０が閉じられ、吸引路１１０が狭くなっているため（図６参照）、吸引路１００Ａには吸引ファン１２８の吸引力が生じず、フィルタ１１２に浮遊トナーを含む塵埃が集めることがない。
【０１００】
一方、各色のトナー画像が中間転写ベルト６８に多重（一次）転写される場合には、図１、図２に示されるように、制御部２０（図１１参照）の指示により軸部材１３３が＋Ｒ方向へ回転する。
【０１０１】
図１に示されるように、軸部材１３３が＋Ｒ方向へ回転することで、偏心カム１６０が＋Ｒ方向に回転する。偏心カム１６０の＋Ｒ方向の回転により、ロール１６８Ａは偏心カム１６０に押圧され、アーム部材１６４が＋Ｒ方向に回転し、ロール１６８Ｂがリンク部材１６６の第一ロッド１７２を押圧する。
【０１０２】
第一ロッド１７２が押圧されることで、この押圧力が第二ロッド１７４及び連結部１７６を介して回転軸１５６に回転力として伝達され、回転軸１５６が−Ｒ方向に回転して開閉蓋１５４が開放位置（図５参照）に移動する。そして、開閉蓋１５４が開放位置へ移動することで、吸引ファン１２８の吸引力が吸引路１１０Ａを含む筐体１０２内に生じる。
【０１０３】
さらに、図１、図２に示されるように、軸部材１３３が＋Ｒ方向へ回転することで、偏心カム１３２Ａ、１３２Ｂも＋Ｒ方向へ回転する。偏心カム１３２Ａ、１３２Ｂの＋Ｒ方向の回転により、ロール１３６Ａが偏心カム１３２Ａ、１３２Ｂと接触する。
【０１０４】
そして、偏心カム１３２Ａ、１３２Ｂがロール１３６Ａと接触してアーム部材１３４、１３８を＋Ｒ方向に移動させたとき、ロール１３６Ｂは、第一可動部材１１６の接触部１１６Ｂ、１１６Ｃを押して、第一可動部材１１６を−Ｒ方向に移動させる（図４（Ｂ）参照）。
【０１０５】
図４（Ｂ）に示されるように、第一可動部材１１６が−Ｒ方向に移動することで、中間転写ベルト６８からクリーニングブレード１０６及びシール部材１０８が離れた状態（リトラクト状態）となる。
【０１０６】
ここで、偏心カム１６０及び偏心カム１３２Ａ、１３２Ｂの外形形状が異なった形状とされており、前述したように決められているため、開閉蓋１５４が閉止位置から開放位置へ移動した後に、クリーニングブレード１０６及びシール部材１０８がコンタクト状態からリトラクト状態となる。
【０１０７】
つまり、クリーニングブレード１０６及びシール部材１０８がリトラクト状態となることで、中間転写ベルト６８とクリーニングブレード１０６及びシール部材１０８との間から、筐体１０２内の浮遊トナーが筐体１０２内から筐体１０２の外へ放出されそうになる。しかし、開閉蓋１５４が開放位置へ移動しているため、筐体１０２内には、吸引ファン１２８の吸引力が生じている。このため、筐体１０２内の浮遊トナーは、筐体１０２の外へ放出されずフィルタ１１２に捕獲される、又は仕切壁１１７とフィルタ１１２との間の底壁１０２Ａに溜まる。
【０１０８】
これに対し、中間転写ベルト６８に多重（一次）転写されたトナー画像が、記録媒Ｐに転写された後には、図１、図２に示されるように、制御部２０（図１１参照）の指示により軸部材１３３が−Ｒ方向へ回転する。
【０１０９】
軸部材１３３が−Ｒ方向へ回転することで、偏心カム１３２Ａ、１３２Ｂも−Ｒ方向へ回転する。ロール１３６Ａは、偏心カム１３２Ａ、１３２Ｂの−Ｒ方向の回転により偏心カム１３２Ａ、１３２Ｂと離間する。そして、バネ１３９の付勢力により、第一可動部材１１６が＋Ｒ方向に移動する（図３（Ｂ）参照）。
【０１１０】
図３（Ｂ）に示されるように、第一可動部材１１６が＋Ｒ方向に移動することで、中間転写ベルト６８とクリーニングブレード１０６及びシール部材１０８とが接触した状態（コンタクト状態）となる。
【０１１１】
さらに、図１に示されるように、軸部材１３３が−Ｒ方向へ回転することで、偏心カム１６０が−Ｒ方向に回転する。偏心カム１６０の−Ｒ方向の回転及びバネ１７０の付勢力により、アーム部材１６４が−Ｒ方向へ回転する。アーム部材１６４の−Ｒ方向への回転により、ロール１６８Ｂが第一ロッド１７２を引き込む。第一ロッド１７２が引き込まれることで、この引込力が第二ロッド１７４及び連結部１７６を介して回転軸１５６に伝達され、回転軸１５６が＋Ｒ方向に回転して開閉蓋１５４が閉止位置（図６参照）に移動する。
【０１１２】
ここで、偏心カム１６０及び偏心カム１３２Ａ、１３２Ｂの外形形状が異なった形状とされており、前述したように決められているため、クリーニングブレード１０６及びシール部材１０８がコンタクト状態となった後に、開閉蓋１５４が開放地位から閉止位置へ移動する。
【０１１３】
つまり、クリーニングブレード１０６及びシール部材１０８がコンタクト状態となることで、中間転写ベルト６８とクリーニングブレード１０６及びシール部材１０８との間から、筐体１０２内の浮遊トナーが筐体１０２の外へ放出されることがなくなる。そして、筐体１０２内の浮遊トナーが筐体１０２の外へ放出されることが無くった後に、開閉蓋１５４が閉止位置（図６参照）に移動し、これにより、筐体１０２内に生じていた吸引ファン１２８の吸引力が減少又は無くなる。
【０１１４】
筐体１０２内に生じていた吸引ファン１２８の吸引力が減少又は無くなることで、フィルタ１１２に浮遊トナーが捕獲されることがなくなり、フィルタ１１２の寿命が延びる。
【０１１５】
以上説明したように、開閉蓋１５４は、クリーニングブレード１０６及びシール部材１０８がリトラクト状態となる前に開放位置へ移動し、クリーニングブレード１０６及びシール部材１０８がコンタクト状態となった後に閉止位置へ移動する。つまり、筐体１０２内の浮遊トナーが筐体１０２の外へ放出される虞があるときにのみ、筐体１０２内に吸引ファン１２８の吸引力が生じてフィルタ１１２に浮遊トナーが捕獲される。
【０１１６】
これにより、筐体１０２内から浮遊トナーが筐体１０２の外へ放出されるのを抑制した上で、浮遊トナーの捕獲によるフィルタ１１２の詰まりが抑制される。
【０１１７】
また、夫々に駆動源を採用するのではなく、同一の動力を用いて軸部材１３３を回転させるだけで、クリーニングブレード１０６及びシール部材１０８並びに開閉蓋１５４が移動する。
【０１１８】
また、フィルタ１１２の詰まりが抑制されるため、クリーニングブレード１０６及びシール部材１０８のリトラクタ状態では、筐体１０２内に充分な吸引力が生じる。これにより、筐体１０２の外に浮遊トナーが放出されるのが効果的に抑制され、画像形成装置１０による出力画像の品質が向上する。
【０１１９】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、偏心カムの形状を変えて、クリーニングブレード１０６及びシール部材１０８の移動と、開閉蓋１５４の移動とに時間差を設けたが、アーム部材の形状（角度、長さ等）を工夫すること、又は、第一可動部材１１６及びリンク部材１６６の形状を工夫することでクリーニングブレード１０６及びシール部材１０８の移動と、開閉蓋１５４の移動とに時間差を設けてもよい。
【０１２０】
また、上記実施形態では、開閉蓋１５４が開口部１５０を塞ぐ構成を用いて吸引路を狭くさせる一例としたが、開閉蓋が開口部を閉止することなく吸引路を狭くしてもよい。
【０１２１】
また、上記実施形態では、現像剤付着部材の一例として中間転写ベルト６８を用いて説明したが、特にこれに限定されず、現像剤付着部材は像保持体や現像剤が付着する２次転写ロール及び搬送ベルト等であってもよい。
【符号の説明】
【０１２２】
１０            画像形成装置
６８            中間転写ベルト（現像剤付着部材の一例）
１００          クリーニング装置（現像剤剤回収装置の一例）
１０２          筐体
１０４          開口部
１０６          クリーニングブレード（回収部材の一例）
１０８          シール部材（密閉部材の一例）
１１２          フィルタ（捕獲部材の一例）
１１６          第一可動部材（第一押圧部材）
１２８          吸引ファン（吸引手段の一例）
１３２Ａ        偏心カム（第一偏心カムの一例）
１３２Ｂ        偏心カム（第一偏心カムの一例）
１５４          開閉蓋（広狭部材の一例）
１６０          偏心カム（第二偏心カム）
１６６          リンク部材（第二押圧部材の一例）
【図１】
2012103346.tif 000003
【図２】
2012103346.tif 000004
【図３】
2012103346.tif 000005
【図４】
2012103346.tif 000006
【図５】
2012103346.tif 000007
【図６】
2012103346.tif 000008
【図７】
2012103346.tif 000009
【図８】
2012103346.tif 000010
【図９】
2012103346.tif 000011
【図１０】
2012103346.tif 000012
【図１１】
2012103346.tif 000013